(57)【要約】      （修正有）【課題】軽量かつコンパクトで、持ち運びに便利な正座台を提供する。【解決手段】正座状態での人の両足部近傍部分と臀部とで囲まれる空隙Ｓ内に挿入されて臀部を下から支える正座台１０であり、人の臀部を支えうる強度の硬質発泡プラスチック成形体で形成され、上面１４が臀部を載せるように広がった水平面で形成され、平面視多角形状でかつ正座状態の人の両足部近傍部分と臀部とで囲まれる空隙内に挿入されるサイズで形成された多角形ブロック体により正座台１０を構成する。【選択図】図４
0003167712.tif 000002
【実用新案登録請求の範囲】
【請求項１】
正座状態での人の両足部近傍部分と臀部とで囲まれる空隙内に挿入されて臀部を下から支える正座台であり、
人の臀部を支えうる強度の硬質発泡プラスチック成形体で形成され、
上面が臀部を載せるように広がった水平面で形成され、平面視多角形状でかつ正座状態の人の両足部近傍部分と臀部とで囲まれる空隙内に挿入されるサイズで形成された多角形ブロック体からなることを特徴とする正座台。
【請求項２】
多角形ブロック体をその立体形状に対応して覆うように可撓性シート材で設けられたカバーを有することを特徴とする請求項１記載の正座台。
【請求項３】
正座台の側面に吊支用索条又は把手が取り付けられたことを特徴とする請求項１又は２記載の正座台。
【請求項４】
正座台には、人の正座姿勢に対して前後方向を区別して設置するための目印が設けられたことを特徴とする請求項１ないし３のいずれかに記載の正座台。
【考案の詳細な説明】
【技術分野】
【０００１】
本考案は、人が正座する際に使用される正座台に関する。
【背景技術】
【０００２】
正座は、畳や床上等で膝を折り曲げて両脚を揃えてかかとの上に臀部を載せて座る姿勢であるので、長時間座っていると足が痺れる場合が多い。近時では、日本でも椅子の生活が多くなり、正座をする場面が少なくなりつつある。しかしながら、訪問先が和室であったり、葬式その他法事の際、又は茶道や華道等の芸道等の際には、長時間にわたって正座することが必要な場面がある。この際、普段正座することに慣れていない人や、脚が衰えた高齢者等にとっては正座姿勢は苦痛に感じられ、短時間でも足が痺れてしまうこともあり、当該時間中に正座を維持するのが困難となる場合がある。また、足が痺れた際には、暫くの間、立てなくなったり歩けなくなったりしてしまうので、転んで怪我してしまうおそれもある。そこで、従来より、正座姿勢時の足への負担を軽減するような正座椅子が提案されている。例えば、特許文献１のように従来の正座椅子は、座部と、座部を一定の高さで支える一対の脚部と、を組み付けて構成されている。座部や脚部には正座した人の荷重を支えるために木材等からなる部材が使用されて強度を維持している。
【先行技術文献】
【特許文献】
【０００３】
【特許文献１】特開２００５−１５２３４２号公報
【考案の概要】
【考案が解決しようとする課題】
【０００４】
上述のように正座をする機会は法事や芸事等をする際など、外出先である場合がある。しかしながら、特許文献１のような従来の正座椅子では、木製等の部材を利用しかつ複数の部材を組み合わせて構成されており比較的重量が重くサイズも大きいものであるから、持ち運びに不便であった。また、特許文献１の正座椅子では、持ち運ぶ際に椅子の脚部が座部の下面に折り畳み収納可能なものも開示されている。しかしながら、正座椅子の構造が複雑化し、製造コストが高くなると同時に、重量自体は変わらないので重くて持ち運びには不便であった。
【０００５】
本考案は、上記従来の課題に鑑みてなされたものであり、その一つの目的は、軽量かつコンパクトで、持ち運びに便利な正座台を提供することにある。
【課題を解決するための手段】
【０００６】
上記課題を解決するために本考案は、正座状態での人Ｍの両足部Ｆ近傍部分と臀部Ｈとで囲まれる空隙Ｓ内に挿入されて臀部Ｈを下から支える正座台であり、人の臀部Ｈを支えうる強度の硬質発泡プラスチック成形体で形成され、上面１４が臀部を載せるように広がった水平面で形成され、平面視多角形状でかつ正座状態の人の両足部近傍部分と臀部とで囲まれる空隙Ｓ内に挿入されるサイズで形成された多角形ブロック体１２、１２ａ、１２ｂ、１２ｃからなることを特徴とする正座台１０から構成される。正座台１０の下面は、例えば水平面等で形成するとよく、畳、床上等に安定して載置できるような構造でもよい。正座台１０は、例えば上下面ともに水平面で形成すると上下いずれにも反転して使用できる。
【０００７】
また、多角形ブロック体１２、１２ａ、１２ｂ、１２ｃをその立体形状に対応して覆うように可撓性シート材で設けられたカバー１８を有することとしてもよい。
【０００８】
また、正座台の側面に吊支用索条２２又は把手２０が取り付けられたこととしてもよい。
【０００９】
また、正座台１０には、人の正座姿勢に対して前後方向を区別して設置するための目印２４が設けられたこととしてもよい。目印は、例えば、カバーと異ならせた色、柄、模様、文字等その他任意のもので形成するとよい。また、目印を設ける位置は正座台１０の上面でもよいし、側面でもよく、上面と下面の両面に設けることとしてもよい。
【考案の効果】
【００１０】
本考案の正座台によれば、正座状態での人の両足部近傍部分と臀部とで囲まれる空隙内に挿入されて臀部を下から支える正座台であり、人の臀部を支えうる強度の硬質発泡プラスチック成形体で形成され、上面が臀部を載せるように広がった水平面で形成され、平面視多角形状でかつ正座状態の人の両足部近傍部分と臀部とで囲まれる空隙内に挿入されるサイズで形成された多角形ブロック体からなることから、正座状態で臀部を良好に支える正座台として十分に機能できる構造でありながら、軽量かつコンパクトで女性や高齢者等でも楽に持ち運びすることができ、実用的である。さらに、場所をとらないので、保管、収納する際も便利である。また、加工及び製造が簡単であり、低コストで製造できる。また、立体多角形状で意匠感がよい。
【００１１】
また、多角形ブロック体をその立体形状に対応して覆うように可撓性シート材で設けられたカバーを有する構成とすることにより、硬質発泡スチロール成形体からなる多角形ブロック体が臀部との接触摩擦により早期に劣化、損傷したり、持ち運び中に他のものにぶつけて傷付いたり、又は埃等の汚れが付着したりするのをある程度保護すると同時に、硬質発泡プラスチック独特の質感に変えて、種々の着色や柄、模様等、その他任意の装飾を簡単に施すことができ、多角形ブロック体の立体形状と相俟って高い意匠感及び多様なバリエーションの製品を得ることができる。
【００１２】
また、正座台の側面に吊支用索条又は把手が取り付けられた構成とすることにより、索条や把手等を手で持って持ち運びに便利である。さらに、索条や把手を壁等に設けたフック等に係止させて保管することもできる。また、索条や把手を前後方向の目印手段としても兼用することができ、正座台の方向を正しくセットしやすく、適切に正座することができ、使い勝手が良い。
【００１３】
また、正座台には、人の正座姿勢に対して前後方向を区別して設置するための目印が設けられた構成とすることにより、正座台の方向を正しくセットしやすく、適切に正座することができ使い勝手が良い。
【図面の簡単な説明】
【００１４】
【図１】本考案の一実施形態に係る正座台の斜視図である。
【図２】図１の正座台の平面図であって、カバーの一部を切り欠いて示した図ある。
【図３】図２の正座台のＡ−Ａ線断面図である。
【図４】図１の正座台の使用説明図である。
【図５】本考案の他の実施形態に係る正座台の平面図である。
【図６】本考案の他の実施形態に係る正座台の平面図である。
【図７】本考案の他の実施形態に係る正座台の平面図である。
【考案を実施するための形態】
【００１５】
以下、添付図面を参照しつつ本考案の正座台の実施の形態について説明する。本考案の正座台は、例えば、畳や床上等に人が正座する際に該畳等の上に載置されて正座姿勢の人の臀部を下から支えることにより、足への負荷を軽減して足を痺れにくくし楽に正座姿勢を維持できる正座補助具である。図１ないし図４は、本考案に係る正座台の一実施形態を示している。図１、図２、図３に示すように、本実施形態において、正座台１０は、例えば、平面視多角形状の多角形ブロック体１２からなる。図４に示すように、本実施形態に係る正座台１０は、正座状態での人の両足部Ｆ近傍部分と臀部Ｈとで囲まれる空隙Ｓ内に挿入されて、臀部Ｈを下から支えるように構成される。
【００１６】
本実施形態では、多角形ブロック体１２は、図１、図２、図３に示すように、例えば、硬質発泡プラスチック成形体で形成されており、所定の高さ寸法で平面視正方形状の扁平的な略直方体形状に設けられている。なお、本実施形態では、多角形ブロック体１２は、例えば、平面視で正方形の隅角が丸く形成されている。すなわち、本実施形態では、多角形は隅丸多角形も含む概念である。多角形ブロック体１２の上面１４と下面１６は、例えば、互いに平行な水平面で形成されている。多角形ブロック体１２は、水平な下面により畳や床上等に安定して自立して載置させることができるようになっている。多角形ブロック体１２の水平な上面は、正座する人の臀部Ｈを載せるように広がった載せ面（座面）となる。なお、本実施形態では、多角形ブロック体１２は後述のようにその立体形状に対応したカバー１８で覆われており、カバー１８の上から上面に臀部が載せられる。なお、多角形ブロック体１２の平面視形状は、正方形に限らず、例えば、長方形状、三角形状、五角形以上の任意の立体多角形状でもよく、さらに正多角形でもよいし、一方向に長い縦長の多角形状等でもよく、その他任意の多角形形状でもよい。また、多角形ブロック体１２は、例えば、平面視での形状が正方形、長方形、ホームベース状の五角形、正六角形、正八角形等のように少なくとも１組の対向２辺が略平行となる多角形形状に形成すると、正座時の両足部Ｆ近傍と臀部Ｈとで囲まれる空隙Ｓ内に正座台を挿入配置させた際に多角形状の角部が足側にあたりにくく平らな側面が足に沿うように配置させることができ、違和感なく良好に使用できる。
【００１７】
多角形ブロック体１２を構成する硬質発泡プラスチック成形体としては、例えば、正座する人が臀部Ｈを該多角形ブロック体１２の上面に載せて体重をかけても簡単に凹まないように確実に臀部Ｈを支えうる強度に設定されている。硬質発泡プラスチックの具体例としては、例えば、ポリウレタン、ポリスチレン、ポリオレフィン、ポリエチレン、ポリプロピレン、ポリオレフィン、ポリ塩化ビニル、フェノール樹脂等の合成樹脂を独立気泡構造で発泡成形して強度をもたせたものが利用され、軽量でありながら高い剛性を実現できるものとなっている。また、硬質発泡プラスチックにより、発泡のない固形成形体と比較して緩衝性があり座り心地もよい。
【００１８】
多角形ブロック体１２は、例えば、平面視での縦長さ×横長さが約１８ｃｍ×１８ｃｍ程度、高さが約８ｃｍ程度に設けられている。これにより、図４に示すように、多角形ブロック体１２すなわち正座台１０は、正座状態の人Ｍの両足部Ｆ近傍部分と臀部Ｈとで囲まれる空隙Ｓ内に挿入されるコンパクトなサイズとなっている。同時に、多角形ブロック体１２は、安定して臀部を受ける広さの上面、及び足にかかる荷重負荷を軽減できるように臀部を支持できる高さを実現している。なお、多角形ブロック体１２は前記両足部Ｆ近傍と臀部Ｈとで囲まれる空隙Ｓ内に挿入できるサイズであれば任意に設定されるとよい。よって、多角形ブロック体１２は、例えば、利用者の体格や体重等に合わせて、平面視での縦幅が１６〜２０ｃｍ程度、横幅が１６〜２０ｃｍ程度、高さが６〜９ｃｍ程度の範囲で適宜設定されるとよい。
【００１９】
図３に示すように、本実施形態では、多角形ブロック体１２は、その全体をカバー１８によって覆われている。カバー１８は、例えば、硬質発泡プラスチック成形体からなる多角形ブロック体１２の保護手段又は装飾用手段となる。すなわち、多角形ブロック体１２をカバー１８で覆うことで、該多角形ブロック体１２と臀部との接触摩擦により早期に劣化或いは損傷したり、持ち運び中に他のものにぶつけて傷付いたり、又は埃等の汚れが付着したりするのをある程度防止できる。同時に、硬質発泡プラスチック独特の質感に変えて、種々の着色や柄、模様等、その他任意の装飾を簡単に施すことができる。よって、多角形ブロック体の立体形状と相俟って高い意匠感及び多様なバリエーションのものを得ることができる。カバー１８は、例えば、着色や柄、模様等が施された天然素材又は人工素材の薄い布、不織布等の可撓性シート材で形成され、多角形ブロック体１２の立体形状に対応して略フィットするように形成されている。なお、カバー１８には、スライド式チャックやホック等を設けて一部を開閉自在な構造として、内部の多角形ブロック体１２を自由に出し入れできるようにしても良く、カバー１８が汚れたりした際に洗濯したり交換したりすることができる。また、カバー１８は、多角形ブロック体１２の全体を覆う態様に限らず、例えば、多角形ブロック体１２の下面側を除き側面と上面部分のみを覆うといった一部分を覆うような態様でもよい。
【００２０】
なお、正座台１０には、例えば、後述のように（図５、図６の実施形態に示すように）、側面に把手や吊支用の索条を取り付けても良い。これにより、正座台１０を確実に片手で持つことができ、持ち運びやすくなる。
【００２１】
図４に示すように、本実施形態に係る正座台を使用する場合には、例えば、畳の上等で人が正座する際に、正座台１０を折り曲げて揃えた脚の先端側の間すなわち両足部Ｆ近傍部分の対向間隙であって臀部Ｈの真下となる位置に置き、正座台１０の上面側に臀部Ｈを載せて、正座台１０を両足部Ｆ近傍と臀部Ｈとで囲まれる空隙Ｓ内に挿入配置する。正座台１０は、両足部Ｆの間で臀部を下から支えているので、足部にかかる荷重が軽減され足が痺れにくくなり、比較的楽に正座姿勢を維持できる。一方、正座台１０を持ち運ぶ際には、サイズがコンパクトであるとともに、硬質発泡プラスチック成形体からなるので重量も軽く、手軽に持ち運ぶことができる。その結果、携帯性に優れ外出する際には、例えば手提げ等に入れて種々の場所に携帯することができ利便性が高い。また、正座台を保管、収納する際も場所を取らず、数個を縦に積み重ねて置くこともできる。
【００２２】
なお、図５、図６、図７は、正座台１０の他の実施形態を示している。例えば、図５の実施形態では、多角形ブロック体１２ａは、平面視で長方形状となる直方体形状に形成されている。なお、多角形ブロック体１２ａはカバー１８で覆われている。さらに、図５では、多角形ブロック体１２ａからなる正座台１０の平面視で短辺側となる側面には、把手２０が取り付けられている。把手２０は、例えば、布等の可撓性素材やプラスチック等合成樹脂素材で形成された帯状又は棒状のハンドル部材からなり、その両端をカバー１８に固定されるか、又はカバー１８を貫通して多角形ブロック体１２ａに固定されている。図５の正座台１０では、例えば、長辺方向が正座姿勢の前後方向に向くように畳上等に置かれ、把手２０が取り付けられた側面側を前方として、上述の実施形態同様に正座状態での人の両足部Ｆ近傍部分と臀部Ｈとで囲まれる空隙Ｓ内に挿入されて利用される。また、正座台を持ち運ぶ際には把手２０を介して片手で持って手軽に持ち運びできる。
【００２３】
例えば、図６の実施形態では、多角形ブロック体１２ｂは、平面視で正八角形となる立体八角形状に形成されている。なお、多角形ブロック体１２ｂはカバー１８で覆われている。さらに、多角形ブロック体１２ｂからなる正座台１０の一つの側面には、下げ紐２２が取り付けられている。下げ紐２２は吊支用索条であり、手で吊るし持ったり壁等のフックに吊り下げておくことができる。図６の正座台１０では、例えば、下げ紐２２が取り付けられた側面側を前方として上述の実施形態同様に正座状態での人の両足部Ｆ近傍部分と臀部Ｈとで囲まれる空隙Ｓ内に挿入されて利用される。また、正座台１０を持ち運ぶ際には下げ紐２２を介して片手で持って手軽に持ち運びできる。
【００２４】
例えば、図７の実施形態では、多角形ブロック体１２ｃは、平面視で正十二角形となる立体十二角形状に形成されている。なお、多角形ブロック体１２ｃはカバー１８で覆われている。さらに、正座台１０の上面１４には人の正座姿勢に対して前後方向を区別して設置するための目印２４が設けられている。目印２４は、例えば、平面視で水平面からなる上面１４側において多角形の一辺側に寄った位置にカバー１８に設けられたマークからなる。なお、目印２４は、例えば、着色したり、刺繍等を設けたりしてもよい。図７の正座台１０では、例えば、目印２４が取り付けられた側を前方として、上述の実施形態同様に正座状態での人の両足部Ｆ近傍部分と臀部Ｈとで囲まれる空隙Ｓ内に挿入されて利用される。
【００２５】
以上説明した本考案の正座台は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の正座台は、畳、座布団、床、カーペット上等で正座する際に好適に利用することができる。
【符号の説明】
【００２７】
１０    正座台
１２、１２ａ、１２ｂ、１２ｃ    多角形ブロック体
１４    上面
１６    空隙
１８    カバー
２０    把手
２２    下げ紐
２４    マーク
Ｍ    人
Ｈ    臀部
Ｆ    足部
Ｓ    空隙
【図１】
0003167712.tif 000003
【図２】
0003167712.tif 000004
【図３】
0003167712.tif 000005
【図４】
0003167712.tif 000006
【図５】
0003167712.tif 000007
【図６】
0003167712.tif 000008
【図７】
0003167712.tif 000009